Podtech/llm-jp-corpus-v4-ja_patent huggingface dataset:
(57)【要約】【課題】従来の緊急通報システムでは、外国人（もしくは聴覚言語障害者）が滞在国の言語で滞在国の言語で音声による緊急通報が困難な場合、緊急通報が遅れる課題がある。【解決手段】緊急通報事案の多言語化において、翻訳システムを使用せずに、人により翻訳した通報事案をデータベースとして登録することで、各国の文化／文明違い、緊急通報の意図する微妙な言葉を表現する多言語緊急通報のシステムを提供する。また、対訳された滞在国の言語で音声再生技術を利用し、通報者の代理で音声による緊急通報を行う多言語緊急通報システムの提供をする。【選択図】図６
2015061246.tif 000002
【特許請求の範囲】
【請求項１】
スマートフォンを用いた、滞在している国の言語を話せない利用者が、利用者の代理で滞在国の言語で緊急通報が行える多言語対応緊急通報システム。
【発明の詳細な説明】
【技術分野】
【０００１】
本発明は、スマートフォンを用いた、利用者である外国人（もしくは聴覚言語障害者）が緊急通報を行うときに、滞在国の言語を喋れなくとも緊急通報ができ、また、滞在国の言語と緊急通報先の電話番号がわかっている対応国で、多言語対応の緊急通報システムに関するものである。
【背景技術】
【０００２】
従来の緊急通報のシステムは音声による電話でのシステムが中心であるため、通報者は言葉による通報が必須となっているが、利用者である外国人（もしくは聴覚言語障害者）が電話による音声での緊急通報が困難なときに、緊急通報（例えば救急車要請時など）が遅れ、尊い人命が失われることもある。
【先行技術文献】
【特許文献】
【０００３】
【特許文献１】貴っky申請における、先行特許文献は見つからず
【非特許文献】
【０００４】
【非特許文献１】当特許申請における、類似の非特許文献は見当たらず
【発明の概要】
【発明が解決しようとする課題】
【０００５】
従来の緊急通報システムでは、外国人（もしくは聴覚言語障害者）が滞在国の言語で滞在国の言語で音声による緊急通報が困難な場合、緊急通報が遅れる課題がある。
【課題を解決するための手段】
【０００６】
緊急通報事案の多言語化において、翻訳システムを使用せずに、人により翻訳した通報事案をデータベースとして登録することで、各国の文化／文明違い、緊急通報の意図する微妙な言葉を表現する多言語緊急通報のシステムを提供する。また、対訳された滞在国の言語で音声再生技術を利用し、通報者の代理で音声による緊急通報を行う多言語緊急通報システムの提供をする。
【発明の効果】
【０００７】
多言語緊急通報システムを利用することで、外国人や聴覚言語障害者等が
以下の緊急通報を行える。
・事件通報を行える
・事故通報
・火災通報
・救急車要請
・支援者への連絡
【図面の簡単な説明】
【０００８】
【図１】多言語緊急通報システム（言語選択画面）
【図２】多言語緊急通報システム（通報事案選択  日本語）
【図３】多言語緊急通報システム（通報事案選択  英語）
【図４】多言語緊急通報システム（事案内容選択  日本語）
【図５】多言語緊急通報システム（事案内容選択  英語）
【図６】多言語緊急通報システム（事案内容表）
【図１】
2015061246.tif 000003
【図２】
2015061246.tif 000004
【図３】
2015061246.tif 000005
【図４】
2015061246.tif 000006
【図５】
2015061246.tif 000007
【図６】
2015061246.tif 000008
(57)【要約】【課題】  灯具をなくした連結型ＬＥＤ蛍光灯は、蛍光灯照明の可能性を飛躍的に拡大し、且つ、照明設備にかかるコストを大幅に削減し設営工事作業性を大幅に高める。【解決手段】  電源である安定器を小型化し内蔵した一体型のＬＥＤ蛍光灯を製作し、さらに連結コネクターを装着して、自由な照明設計を可能な蛍光灯とする。【選択図】図１
2015018782.tif 000002
【特許請求の範囲】
【請求項１】
ＬＥＤ蛍光灯において、電源となる安定器を小型化し発光部と一体化した安定器内蔵型のＬＥＤ蛍光灯をつくる事が可能となりました。
この安定器内蔵ＬＥＤ蛍光灯は、放熱板である金属フレームを直接、壁や天井面に取付ける事により、従来のような蛍光管光体を支持するための器具（灯具）を必要としなくなりました。
【請求項２】
前項の安定器内蔵ＬＥＤ蛍光灯の両端に主電源コネクターを装着することにより、この安定器内蔵ＬＥＤ蛍光灯を連結していくことができます。この連結により、大容量の照度を必要とする照明を自由にしかも簡便に設計する事を可能といたしました。
【発明の詳細な説明】
【技術分野】
【０００１】  本発明は、連結することにより照明容量を自由に設計出来る連結型ＬＥＤ蛍光灯に関するものである。
【背景技術】
【０００２】  従来の蛍光灯照明器具は、安定器を含めた周辺支持器具である灯具部分と蛍光管の発光体部分の２箇所の機能部によって構成されていました。これは、安定器を小型化することが難しく、外部より発光体部に電源を供給せざるをえなかった。【０００３】  従来の蛍光灯照明器具で、照明施工工事をする場合、まずは灯具を設置し、その後に蛍光灯管を装着してきました。
【発明の概要】
【発明が解決しようとする課題】
【０００４】  解決しようとする問題点は、電源である安定器を小型化することが難しく、安定器を内蔵した一体型のＬＥＤ蛍光灯が出来にくかった。【０００５】  灯具を必要としない安定器内蔵の一体型ＬＥＤ蛍光灯は、連結させることにより照明設計をより自由とし、さらに照明設備にかかるコストと工期を大幅に削減させる事を可能とする。
【課題を解決するための手段】
【０００６】  本発明は、電源である安定器を小型化し安定器を内蔵した一体型のＬＥＤ蛍光灯を製作し、さらに連結コネクターを装着することにより、従来の蛍光灯器機よりも自由な照明設計を可能とすることを最も主要な特徴とする。
【発明の効果】
【０００７】  本発明の連結型ＬＥＤ蛍光灯は、従来の灯具を必要としないため、設営工事を大幅に短縮すると同時に、照明器具にかかるコストを大幅に削減させることを可能とする。
さらに、連結型であるために照明設計が自由にできる。
これらが、本発明の利点である。
【図面の簡単な説明】
【０００８】
【図１】  連結型ＬＥＤ蛍光灯の実施方法示した構造説明図である。（実施例１）
【図２】  連結型ＬＥＤ蛍光灯の実施方法示した構造説明図である。（実施例２）
【発明を実施するための形態】
【０００９】  安定器を小型化することによって灯具をなくすという目的を、ＬＥＤ光体基盤と一体となった安定器内蔵型のＬＥＤ蛍光灯によって実現した。そしてさらに、コネクターを装着する事によって、このＬＥＤ蛍光灯を連結して照明設計を自由に選択する事を可能とした。
【実施例１】
【００１０】  図１は、本発明装置の実施例の側面図、正面図及び断面図である、これにより安定器内造型でコネクター装着の連結型ＬＥＤ蛍光灯が実現した。
【実施例２】
【００１１】  図２は、本発明装置の実施例の配線図である、これにより本発明の連結機能が十分であることが分かります。
【産業上の利用可能性】
【００１２】  連結型ＬＥＤ蛍光灯をよって照度設計を自由にする事を可能としたため、蛍光灯の活用範囲を大幅に拡大すると考えられます。
直管型と平面型を組み合わせることにより、蛍光灯照明の可能性を大幅に向上させると考えます。【００１３】  蛍光灯照明で灯具がなくなったために、照明器機にかかるコストと施工工事費を大幅に削減する事を可能とした。【００１４】  本発明は、従来の蛍光灯器機よりも格段に構成部品の数がすくないため、故障や不具合等のリスクが大幅に少なくなると考えます。
【図１】
2015018782.tif 000003
【図２】
2015018782.tif 000004
(57)【要約】      （修正有）【課題】背の低い児童などがグランドピアノでの演奏時に、楽譜を見やすくするため、譜面台の高さがグランドピアノの譜面台よりも低い位置にくるようにグランドピアノに取り付ける、補助譜面台を提供する。【解決手段】通常の楽譜のサイズに相応する広さを持った、四角形の背板２の二つの長手辺の一辺に、直角よりも少し大きな角度で逆Ｌ字状を成すような、数センチ幅の譜面受け３を形成し、背板２における譜面受け３の側を正面側とし、背板２の背面側において、譜面受け３の真後ろからほぼ中央の高さにまで、背板２にピッタリ接しつつ、その地点から約１１０°程の角度で譜面受け３と反対方向に折れて、まっすぐ伸びる水平な支板４を形成する。【選択図】図４
2015018198.tif 000002
【特許請求の範囲】
【請求項１】
通常の楽譜のサイズに相応する広さを持った、四角形の背板にある、二つの長手辺の一辺に、直角よりも少し大きな角度で逆Ｌ字状を成すように数センチ幅の譜面受けを形成し、背板における譜面受けの側を正面側とし、背板の背面側において、最下端の譜面受けの真後ろからほぼ中央の高さにまで背板にピッタリ接しつつ、その地点から約１１０°程の角度で譜面受けと反対方向に折れてまっすぐ伸びる支板を形成することを特徴とするグランドピアノ用補助譜面台。
【発明の詳細な説明】
【技術分野】
【０００１】  この発明は、背の低い児童などがグランドピアノでの演奏時に、楽譜を見やすくするため、譜面台の高さがグランドピアノの譜面台よりも低い位置にくるように、グランドピアノに取り付けて使用する、補助譜面台に関するものである。
【背景技術】
【０００２】  従来グランドピアノでの演奏時において、背の低い子供たちにとって、譜面台の高さは非常に高く、楽譜が見づらく、練習に不便なことが多かった。そこで補助譜面台なるものが現れたが、取り付けには大屋根という大きな重たい蓋を持ち上げて、複雑な形をした支板を挟むものであった。
【発明の概要】
【発明が解決しようとする課題】
【０００３】  これには、次のような欠点があった。
（イ）補助譜面台をグランドピアノに取り付ける際、グランドピアノにしっかり取り付け  るため、グランドピアノの８ｋｇ以上もあるような大きい重たい大屋根を持ち上げて、  その下に補助譜面台の複雑な構造の支板を挟むことは、力のある男性でも大変なもので  あった。
（ロ）補助譜面台が前に近づきすぎるので、鍵盤との距離が視認しにくい。
時には手が補助譜面台にぶつかった。
（ハ）構造が複雑なため、重たく、取り付け取り外しが困難であるため利用する者もあま  りいなかった。
本発明は以上の問題点を解決しようとするものである。
【課題を解決するための手段】
【０００４】  通常の楽譜のサイズに相応する広さを持った、四角形の背板の二つの長手辺の一辺に直  角よりも少し大きな角度で逆Ｌ字状を成すように、数センチ幅の譜面受けを形成し、背  板における譜面受けの側を正面側とし、背板の背面側において、最下端の譜面受けの、  真後ろからほぼ中央の高さにまで背板にピッタリ接しつつ、その地点から約１１０°程  の角度で譜面受けと反対方向に折れて、まっすぐ伸びる水平な支板を形成する。
以上を特徴とするグランドピアノ用補助譜面台である。
【発明の効果】
【０００５】  この発明は、普段はグランドピアノの中にある譜面台を取り出して、閉じた大屋根の手前上に置いておく。使用する時は、譜面台の両端には下に小さな足がついていて、大屋根と譜面台の間には隙間が出来ており、その隙間に、補助譜面台の背面にある水平な支板を差し込むだけでよい。支板は重たい譜面台で押さえられるので安定し、楽に楽譜を載せることが出来る。こうする事で、力のない人でも簡単に補助譜面台をセットする事が出来、また取り外す時はそのまま引き抜けばよく、いちいち８ｋｇ以上もあるような大屋根を開け閉めする必用はない。
【図面の簡単な説明】
【０００６】
【図１】本発明の正面図
【図２】本発明の背面図
【図３】本発明の右側面図
【図４】本発明の斜視図
【図５】本発明のある時点における使用状態を示す右側面図
【図６】本発明の別の時点における使用状態を示す右側面図
【発明を実施するための形態】
【０００７】  通常の楽譜のサイズに相応する広さを持った四角形の背板（２）の二つの長手辺（１０）の一辺に、直角よりも少し大きな角度で逆Ｌ字状を成すように数センチ幅の譜面受け（３）を形成し、背板（２）における譜面受け（３）の側を正面側とし、背板（２）の背面側において、最下端の譜面受け（３）の真後ろからほぼ中央の高さにまで背板（２）にピッタリ接しつつ、その地点から約１１０°程の角度で譜面受け（３）と反対方向に折れてまっすぐ伸びる水平な支板（４）を形成する。
本発明は以上のような構成であり、以下その具体的な使用の形態について説明する。
ピアノを弾かない普段の時は、グランドピアノ（８）の大屋根（７）を開け、中の譜面台（６）を取り出し、大屋根（７）を閉じて、その手前上に置いておく。使う時は、譜面台（６）の底面両端には小さな足がついているので、大屋根（７）と譜面台（６）の間には隙間（９）が出来ている。補助譜面台（１）の背面部に設けた支板（４）を、水平に保持しつつ、グランドピアノ（８）上の譜面台（６）の下の隙間（９）へ、図５の矢印（５）のように差し込むだけでよい。こうする事で、補助譜面台（１）の支板（４）は、グランドピアノ（８）の譜面台（６）の重さで固定され、補助譜面台（１）は安定し楽譜を安定させ、自由にめくったり出来るのである。この間、８ｋｇ以上もある重たい大屋根（７）をいちいち開け閉めする必要はなく、子供は大人の援助なしで、ピアノを弾きたい時はいつでも気軽にレッスンを始めることが出来、ケガの心配も生じない。
【符号の説明】
【０００８】１補助譜面台、  ２背板、  ３譜面受け、  ４支板、  ５矢印、  ６譜面台、７大屋根、８グランドピアノ、  ９隙間、  １０長手辺
【図１】
2015018198.tif 000003
【図２】
2015018198.tif 000004
【図３】
2015018198.tif 000005
【図４】
2015018198.tif 000006
【図５】
2015018198.tif 000007
【図６】
2015018198.tif 000008
(57)【要約】      （修正有）【課題】署名、募金を手軽に自宅から行うことを可能とする。【解決手段】自社ＨＰ上にあるクレジットカード、キャッシュカード番号、金額入力画面において、クレジットカード、キャッシュカード番号を入力し、金額欄に０円又は数字を入力して、決定ボタンを押し、クレジットカード会社、金融機関のｗｅｂページを表示する。金額０円がすでに入力され、暗証番号を入力して決済ボタンを押すことで、署名が完了する。入力した金額が既に入力され、暗証番号を入力して決済ボタンを押すことで、署名と募金が完了する。クレジットカード会社、金融機関が署名を集計し、募金はクレジットカード会社、金融機関より募金者へ振り込まれる。【選択図】図３
2015018527.tif 000002
【特許請求の範囲】
【請求項１】
ｗｅｂ上で、クレジットカードおよびキャッシュカード番号を入力し、金額欄には０円又は数字を入力して署名、募金となること。
【発明の詳細な説明】
【技術分野】
【０００１】本発明はクレジットカード、キャッシュカードによる署名募金集めである。
【背景技術】
【０００２】従来署名、募金は街頭等で集めるものであった。
【発明の概要】
【発明が解決しようとする課題】
【０００３】手軽に自宅から署名募金が出来るようにする。
【課題を解決する為の手段】
【０００４】クレジットカード、キャッシュカードのインターネット決済画面にて、０円で決済すれば署名のみ、金額を入れて決済すれば署名と募金という形で、クレジットカード会社、金融機関の協力で署名募金を集める。
【発明の効果】
【０００５】寒い街頭での署名募金集めがなくなり、皆自宅から署名募金が出来るようになる。
【図面の簡単な説明】
【０００６】
【図１】  クレジットカード、キャッシュカード番号入力画面
【図２】  金額が０円で署名だけを集める画面
【図３】  金額が入っており、署名と募金を集める画面
【発明を実施するための形態】
【０００７】以下本発明の実施の形態を図１〜図３に基づいて説明する。
図１は自社ＨＰ上にあるクレジットカード、キャッシュカード番号、金額入力画面である。
クレジットカード、キャッシュカード番号を入力し、金額欄に０円又は数字を入力して、決定ボタンを押し、図２，３のクレジットカード会社、金融機関のｗｅｂページに飛ぶことで、署名、募金の準備となる。
【０００８】図２では金額０円がすでに入力されており、暗証番号を入力して決済ボタンを押すことで、署名が完了する。
署名の集約はクレジットカード会社、金融機関の協力で集計する。
【０００９】図３では図１で入力した金額が既に入力されており、暗証番号を入力して決済ボタンを押すことで、署名と募金が完了する。
署名の集約はクレジットカード会社、金融機関の協力で集計する。
募金はクレジットカード会社、金融機関より募金者へ振り込まれる。
【図１】
2015018527.tif 000003
【図２】
2015018527.tif 000004
【図３】
2015018527.tif 000005
(57)【要約】【課題】本発明は、発光ダイオードが周囲の発光ダイオードの光に照らされないスイッチアセンブリを提供することを目的とする。【解決手段】本発明に係るスイッチアセンブリは、回路基板上の電子部品を制御するスイッチ及びハウジングを備える。前記スイッチは前記ハウジングに装着され、前記ハウジングは、前記回路基板上に設置され且つ前記電子部品の稼動状態を表示する発光ダイオードをカバーする。【選択図】図３
2015018811.tif 000002
【特許請求の範囲】
【請求項１】
回路基板上の電子部品を制御するスイッチ及びハウジングを備え、前記スイッチは前記ハウジングに装着され、前記ハウジングは前記回路基板上に設置され且つ前記電子部品の稼動状態を表示する発光ダイオードをカバーすることを特徴とするスイッチアセンブリ。
【請求項２】
前記ハウジングは、スイッチを固定する固定部と、前記固定部に連接され且つ前記発光ダイオードをカバーする遮断部と、を備え、前記固定部は、連接片と、前記連接片の両側からそれぞれ延伸し且つ前記スイッチの両側にそれぞれ当接する２つの延伸片と、を備えることを特徴とする請求項１に記載のスイッチアセンブリ。
【請求項３】
前記スイッチはボタンを備え、前記連接片には前記ボタンを貫通させる貫通孔が設けられていることを特徴とする請求項２に記載のスイッチアセンブリ。
【請求項４】
前記遮断部は、前記連接片の上端から前記固定部と離れるように延伸する上壁と、前記上壁の両側から前記回路基板に向けてそれぞれ延伸し且つ前記回路基板に当接する２つの側壁と、を備えることを特徴とする請求項２または３に記載のスイッチアセンブリ。
【発明の詳細な説明】
【技術分野】
【０００１】
本発明は、スイッチアセンブリに関するものである。
【背景技術】
【０００２】
従来の技術において、回路基板には、電子部品を制御するスイッチ及び電子部品の稼動状態を示す発光ダイオードが多く設置されているため、発光ダイオードの光が周囲に拡散し、発光しない発光ダイオードを照らすことがある。従って、使用者は、対応する発光ダイオードが発光しているように見えるため、稼動しない電子部品を素早く発見できない。
【発明の概要】
【発明が解決しようとする課題】
【０００３】
本発明の目的は、前記問題を解決し、発光ダイオードが周囲の発光ダイオードの光に照らされないスイッチアセンブリを提供することを目的とする。
【課題を解決するための手段】
【０００４】
上記目的を達成するために、本発明に係るスイッチアセンブリは、回路基板上の電子部品を制御するスイッチ及びハウジングを備える。前記スイッチは、前記ハウジングに装着され、前記ハウジングは、前記回路基板上に設置され且つ前記電子部品の稼動状態を表示する発光ダイオードをカバーする。
【発明の効果】
【０００５】
本発明に係るスイッチアセンブリは、ハウジングが発光ダイオードをカバーするため、他の発光ダイオードからの光を遮断できる。
【図面の簡単な説明】
【０００６】
【図１】本発明の実施形態に係るスイッチアセンブリ及び回路基板の分解斜視図である。
【図２】図１に示すスイッチアセンブリの別の視角からの拡大図である。
【図３】図１に示すスイッチアセンブリと回路基板との組立斜視図である。
【発明を実施するための形態】
【０００７】
図１及び図２に示したように、本発明の実施形態に係るスイッチアセンブリは、回路基板１０上に設置されるスイッチ２０及びハウジング３０を備える。
【０００８】
回路基板１０上には、ある電子部品の稼動状態を表示するための発光ダイオード１２が設置されている。回路基板１０において、発光ダイオード１２に隣接して、２つの固定孔１４及び２つの収容孔１５が設けられている。
【０００９】
スイッチ２０は前記電子部品をオンまたオフする。スイッチ２０の発光ダイオード１２に面する側には、ボタン２２が突出しており、スイッチ２０の底面からは、回路基板１０に電気的に接続できる二つのピン２４が延伸している。
【００１０】
ハウジング３０は、一体に製造された固定部３２及び遮断部３４を備える。
【００１１】
固定部３２は、連接片３２０と、連接片３２０の両側から後側に向けてそれぞれ延伸する２つの延伸片３２２と、延伸片３２２の底端からそれぞれ延伸する２つの挿入部３２４と、を備える。連接片３２０には、貫通孔３２６が設けられている。
【００１２】
遮断部３４は、連接片３２０の上端から前側へ延伸する上壁３４２と、上壁３４２の両側から下方へそれぞれ延伸する側壁３４０と、を備える。
【００１３】
図３に示したように、スイッチアセンブリを組み立てる際、まず、スイッチ２０を固定部３２内に収容する。この際、連接片３２０はスイッチ２０の前側に当接し、ボタン２２は貫通孔３２６を貫通し、延伸片３２２はスイッチ２０の両側にそれぞれ当接する。次いで、挿入部３２４を収容孔１５内にそれぞれ係合させて、遮断部３４によって、発光ダイオード１２をカバーする。この際、側壁３４０は回路基板１０に当接し、他の発光ダイオードから発射される光線が発光ダイオード１２を照らすことを防ぐ。
【符号の説明】
【００１４】
１０  回路基板
１２  発光ダイオード
１４  固定孔
１５  収容孔
２０  スイッチ
２２  ボタン
２４  ピン
３０  ハウジング
３２  固定部
３２０  連接片
３２２  延伸片
３２４  挿入部
３２６  貫通孔
３４  遮断部
３４０  側壁
３４２  上壁
【図１】
2015018811.tif 000003
【図２】
2015018811.tif 000004
【図３】
2015018811.tif 000005
(57)【要約】【課題】従来、クラフトテープ及び粘着ロールテープに、プリンターなどでの印字は不可能とされていた。【解決手段】課題を解決するための手段として、本発明、粘着ロールにパラフィン加工を施す粘着ロールを提供する。【選択図】図１
2015131931.tif 000002
【特許請求の範囲】
【請求項１】
用紙基材表面に印刷を施し、所定位置にニス又はシリコン加工、パラフィン加工、任意にミシン加工を施す。そして、用紙基材裏面に粘着剤を施し、巻き取り加工を施すことを特徴とした粘着ロール。
【請求項２】
用紙基材表面にパラフィン加工、任意にミシン加工、用紙基材裏面に粘着剤を施し、巻き取り加工を施すことを特徴とした粘着ロール。
【発明の詳細な説明】
【発明の属する技術の分野】
【０００１】  本発明は粘着ロールに関する。
【背景技術】
【０００２】  従来、ロール状のクラフトテープ及び粘着ロールテープは、粘着剤の剥離を目的として、テープ基材表面に非粘着性基材又はシリコン加工を施したものが主流とされてきたため、クラフトテープ及び粘着ロールテープの表面に印字又は書き込みはできなかった。【０００３】  従来、ロール状からなる印字又は書き込み可能なメモロールは販売されているが、印刷と併用してのメモロール及び粘着テープは既存しなかった。
【先行技術文献】
【０００４】
【非特許文献１】ｈｔｔｐ：／／ｓｔｏｒｅ．ｓｈｏｐｐｉｎｇ．ｙａｈｏｏ．ｃｏ．ｊｐ／ｍａｒｋｓ／ｃｏｌ−ｍ２．ｈｔｍｌ
【非特許文献２】ｈｔｔｐ：／／ｇｏｏ．ｇｌ／ＴＤ０ｂＧｈ
【０００５】
【発明が解決しようとする課題】
【０００６】  上記先行技術には次のような欠点があった。
従来、ロール状からなるクラフトテープ及び粘着ロールテープは、粘着剤の剥離を目的として、テープ基材表面が非粘着性基材又はシリコン加工施したものが主流とされてきたため、クラフトテープ及び粘着ロールテープの表面には、プリンターなどによる印字、又は、マジックインキ、ボールペン、筆ペンなどによる書き込みができなかった。
【０００７】  印刷を施した先述のクラフトテープ及び粘着ロールテープに、プリンターなどでの印字は不可能とされていた。
本発明は、これらの課題を解決するためになされた。
【課題を解決するための手段】
【０００８】  課題を解決するための手段として、用紙基材表面に印刷を施し、印刷の安定を目的として、ニス又はシリコン加工にて被膜を形成し、さらにパラフィン加工を施す粘着ロールを提供する。
【発明の効果】
【０００９】  本発明は、用紙基材表面に印刷を施し、印刷の安定を目的として、ニス又はシリコン加工にて被膜を形成し、さらにパラフィン加工を施すことで、印字又は書き込みが可能な粘着ロールを提供する。
【００１０】  本発明は、粘着ロールテープの表面のパラフィン加工の効果により印字又は書き込みを可能とし、パラフィン加工がされていないニス又はシリコン加工の部分は書き込みが不可能となる粘着ロールを提供する。
【００１１】  本発明の応用により、粘着ロールテープの全表面にパラフィン加工を施すことで、テープ全表面に印字又は書き込み可能な粘着ロールを提供する。
【００１２】  本発明の応用により、粘着ロールテープにミシンを施すことで粘着シートを提供する。
【発明を実施するための最良の形態】
【００１３】  以下、本発明の実施の形態について図１から図７をもちいて説明する。
図１に記載されているのは、本発明のロール本体（１０）を示したもので、本体表面（１０１）に印刷（２０）を施し、印刷（２０）の保護を目的として、シリコン又はニス加工（３０）加工を施し、さらにパラフィン（４０）加工を施した形態図である。【００１４】  図２に記載されているのは、図１からなるロール本体（１０）にミシン（６０）を施し、本体裏面（１０２）に粘着剤（５０）施した形態図である。【００１５】  図３に記載されているのは、図１、図２からなる構成を示した図である。用紙基材（７０）の裏面に粘着剤（５０）を施し、用紙基材（７０）表面に印刷（２０）、シリコン又はニス（３０）、パラフィン（４０）を施した構成図である。【００１６】  図４に記載されているのは、本発明、粘着ロールの断面図で、用紙基材（７０）表面に印刷（２０）を施し、シリコン又はニス加工（３０）、さらにパラフィン（２０）加工を施し、用紙基材（７０）裏面に粘着剤（５０）を施した断面図である。【００１７】  図５に記載されているのは、本発明粘着ロールの実施の応用図で、用紙基材に印刷（２０）を施し、上方にシリコン又はニス加工（３０）、下方にパラフィン（４０）を施した上下任意の加工応用形態図である。【００１８】  図６に記載されているのは、本発明粘着ロールの実施の応用図で、用紙基材に印刷（２０）を施し、右にシリコン又はニス加工（３０）、左にパラフィン（４０）を施した左右任意の加工応用形態図である。【００１９】  図７に記載されているのは、本発明粘着ロールの製造工程を示した図である。
第一工程に用紙基材表面に印刷、第二工程にシリコン又はニス加工、第三加工にパラフィン加工、第四工程にミシン加工を施し、その裏面に第一工程Ｂ、として粘着加工を施し粘着ロールが製造される。製造後はパラフィン加工部分に印字又は書き込みが可能となる
以上が本発明の形態・構成であり、実施ついては下記に示す。【００２０】本発明の実施
本発明により、印刷を施した粘着ロールに印字又は書き込みを可能とする粘着ロールテープの提供を実施する。【００２１】  本発明により、用紙基材表面に印刷を施し、印刷の安定を目的として、ニス又はシリコン加工にて被膜を形成し、さらにパラフィン加工を施すことで、印字又は書き込みが可能な粘着ロールの提供を実施する。【００２２】  本発明の応用により、用紙基材表面にパラフィン加工のみを施すことでも、書き込み又は印字プリントが可能な粘着ロールの提供を実施する。
以上、本発明は実施される。
【産業上の利用可能性】
【００２３】  印刷を施した粘着ロールに書き込み又は印字を可能とする粘着ロールテープの提供が実施される。【００２４】  上記より、キャラクターや絵、記号や社名などの任意の印刷を施した書き込み又は印字可能な粘着ロールテープの提供が実施される。
また、表記や印字を利用とする、宛名シールや配送ラベル、表示表記ラベルなどの応用活用が実施される。
本発明は、以上より産業上の利用可能性がある。
【図面の簡単な説明】
【００２５】
【図１】  本発明の形態図である。
【図２】  本発明の表裏形態図である。
【図３】  本発明の構成図である。
【図４】  本発明の断面図である。
【図５】  本発明の実施応用図である。
【図６】  本発明の実施応用図である。
【図７】  本発明の工程図である。
【符号の説明】
【００２６】１０．ロール本体
１０１．本体表面
２０．印刷
１０２．本体裏面
３０．シリコン又はニス
４０．パラフィン
５０．粘着剤
６０．ミシン
７０．用紙基材
【図１】
2015131931.tif 000003
【図２】
2015131931.tif 000004
【図３】
2015131931.tif 000005
【図４】
2015131931.tif 000006
【図５】
2015131931.tif 000007
【図６】
2015131931.tif 000008
【図７】
2015131931.tif 000009
(57)【要約】      （修正有）【課題】脱着ボデー式トラックの荷台の部品点数を削減させ、重量も削減させる。【解決手段】トラックボデー３の後輪タイヤの部分で切り離しする事によりトラクター部分にも荷箱２を付けられる様にした。また従来の脱着ボデーに備えた油圧式の四隅を持ち上げる装置が要らないようにした。【選択図】図１
2015131628.tif 000002
【特許請求の範囲】
【請求項１】
トラックの後輪タイヤの所で分ける様にした。
【発明の詳細な説明】
【技術分野】
【０００１】      この発明はトラックボデーに関する発明である。
【背景技術】
【０００２】      今までトラックボデーを切り離すにわトレーラー式と脱着ボデー式があった。
【発明の開示】
【発明が解決しようとする課題】
【０００３】      トレーラー式と脱着ボデー式の利点の組み合わせでそれぞれのマイナス面をなくすようにした。トレーラー式でわトラクター部分に荷箱を乗せる様にした。脱着ボデー式でわ荷箱だけを油圧などを使って持ち上げ無くてもいい様にした。
【課題を解決するための手段】
【０００４】      トラックの後輪タイヤの前タイヤと後ろタイヤの部分でボデーを分ける事によりトレーラーのように荷箱を切り離したり脱着ボデー式のように切り離したりできる様にした。
【発明の効果】
【０００５】      トレーラー式切り離しの場合けん引部分に荷箱を乗せて荷物を運べる様にした。また狭い場所でトラックが入って行けない場合後ろの部分を切り離し入れる様にした。脱着ボデー式切り離しの場合トラックターミナルに切り離して置いて荷物を積み込んでおきけん引部分だけ切り替えて積み込み時間を短縮出来るようにした。
【発明を実施するための最良の形態】
【０００６】      トラックの後輪タイヤ部分でボデーを分ける事により運ぶ荷物の量により荷箱を取替え積み込み時間を短縮したり狭い所でも入っていける。
【図面の簡単な説明】
【０００７】
【図１】  本発明の側面図
【図２】  本発明の利用例図
【符号の説明】
【０００８】１  キャビン
２  荷箱
３  ボデー
４  連結部分
５  タイヤ
６  アウトリガー部分
【図１】
2015131628.tif 000003
【図２】
2015131628.tif 000004
(57)【要約】      （修正有）【課題】歯磨き中に磨き垂れの液により手が汚れるという不快感を防止する歯ブラシを提供する。【解決手段】歯ブラシのハンドル正面部分に液を集めるための窪み１を形成して、歯磨き中に生じる磨き垂れの液を集め、窪みに連通して形成した溝２を通して該溝下部に形成した穴３から後部へ液を流すことにより、歯磨き中に磨き垂れの液が手に付かない構成とする。【選択図】図２
2015131078.tif 000002
【特許請求の範囲】
【請求項１】
（イ）  歯ブラシのハンドル正面部分の窪みにより磨き垂れの液を集め、溝▲２▼を通り下部の穴▲３▼から後部へ流し、液を落とす。
以上の構成によりなる液付着防止用溝付歯ブラシ。
【発明の詳細な説明】
【技術分野】
【０００１】この発明は、歯磨き中の磨き垂れの液により手が汚れるという不快感を防止する歯ブラシに関するものである。
【背景技術】
【０００２】従来、歯ブラシを使っての歯磨き中に磨き垂れの液が手元まで流れてくることがあった。
【発明の開示】
【発明が解決しようとする課題】
【０００３】これまでの物は、次のような欠点があった。
（イ）  歯磨き中に手元まで磨き垂れの液が流れてくるので毎回シャツの袖を捲くらなければ始めることが出来ない。
（ロ）  手元まで流れてくるので歯磨きをすることが不快に思えてくる。垂れた液が気になり途中で歯磨きを止めてしまう。
本発明は、以上のような欠点をなくすためになされたものである。
【課題を解決するための手段】
【０００４】（イ）歯ブラシのハンドル正面部分に窪み▲１▼により磨き垂れの液を集め、溝▲２▼を通り下部の穴▲３▼から後部へ液を流し、落とす。
本発明は、以上の構成よりなる液付着防止用溝付歯ブラシである。
【発明の効果】
【０００５】（イ）  歯ブラシを使っての歯磨き中に垂れてきた液はハンドルに付けられた溝の中を通り、下部の穴から落ちていくので手が汚れることなく磨くことが出来る。
【発明を実施するための最良の形態】
【０００６】以下、本発明を実施するための最良の形態について説明する。
（イ）  歯ブラシネック下に毛から垂れてきた磨き垂れの液を集めるための窪みを付け▲１▼、溝（空気を通すため表面は細く、内部は広め）▲２▼を掘り、下部の穴▲３▼から流れ出るようにする。
（ロ）  ハンドル部分は溝を掘るためネック部よりも厚みを付ける。
本発明は、以上のような構造で、これを使用すれば、手を汚さずに歯を磨くことが出来る。
【図面の簡単な説明】
【０００７】
【図１】  本発明の斜視図である。
【図２】  本発明の縦断面図である。
【図３】  本発明の横断面図である。
【符号の説明】
【０００８】１  液を集めるための窪み
２  溝
３  穴
４  ヘッド
５  ネック
６  ハンドル
【図１】
2015131078.tif 000003
【図２】
2015131078.tif 000004
【図３】
2015131078.tif 000005
(57)【要約】【課題】繊維素材のタオルと、童話絵本を組み合わせて、幼児に童話を学びながら、童話のストーリーを楽しむ知育玩具を提供する。【解決手段】童話絵本のストーリーの挿絵に沿って、繊維素材のタオルに童話絵本と同じ絵柄が展開されており、あらかじめ繊維素材のタオルを「折る」、「丸める」ておき、童話絵本のストーリーに沿って、順次、繊維素材のタオルを開いてくことにより絵柄が現れてくる。幼児は、織物のタオル上で、ストーリーの展開を楽しく遊びながら童話絵本を学ぶことができる。【選択図】図１
2015131080.tif 000002
【特許請求の範囲】
【請求項１】
オリジナルの童話絵本と、同じストーリーの絵柄が展開される織物類タオルが１セットとして構成されており、童話絵本のストーリーの展開に合わせて、織物類タオルの特性である自由に「折る」「丸める」「広げる」ことにより、織物類タオル上で童話のストーリーの絵柄が順次展開されていく知育玩具。
【請求項２】
織物類タオルは、フェイスタオル、プチタオル、ハンカチ、風呂敷等の織物品全般で対応ができる。
【発明の詳細な説明】
【技術分野】
【０００１】本発明は、織物類タオルの特性である、折り目がつかず、自由に「折る』「丸める」「広げる」ことで、童話絵本のストーリーが展開されるものである。
【背景技術】
【０００２】従来の童話絵本は印刷本であり、織物類タオルは本来、身体を拭く物であったが、印刷本と織物類タオルをセットにしたものは無かった。
【発明の概要】
【発明が解決しようとする課題】
【０００３】しかし、従来の童話本と織物類タオルは、個々の性質の物であるため、セットとしての玩具はなかった。そこで、本発明は童話絵本と繊維類タオルを組み合せ、童話絵本と同じ絵柄が繊維類タオルと連動されることにより、童話が楽しく遊びながら学べる幼児用の知育玩具として成立する。
【課題を解決するための手段】
【０００４】上記課題を解決するために、請求項１に記載の織物類タオルの特性である、折り目がつかず簡単に「折る』「丸める」「広げる」を活かして童話絵本の挿絵をセットの童話絵本のストーリーに合わせて、織物類タオル本来の用途とともに、知育玩具として成り立っている。
【発明の効果】
【０００５】本発明は次のような効果を奏する。請求項１に記載されている発明は、童話絵本と繊維類タオルを組み合わせることにより、幼児用玩具とともに、織物類タオルの本来の用途としても活用できる。
【図面の簡単な説明】
【０００６】
【図１】図１は、童話絵本の表紙例と繊維類タオル例の平面図を示すものである。
【図２】図２は、童話絵本と繊維類タオルの実施例を示すものである。
【図３】図３は、童話絵本と繊維類タオルの実施例を示すものである。
【図４】図４は、童話絵本と繊維類タオルの実施例を示すものである。
【発明を解決するための形態】
【０００７】図１の童話絵本と繊維類タオルを１セットとして、知育玩具が成り立つ。
【０００８】図２、童話絵本のストーリー（ａ−１）に合わせて、繊維類タオルをあらかじめＢ−２のように「折り」（ｃ−１）「丸め」（ｃ−２）ておき、ｂ−２の絵柄出しておく。
【０００９】図３、童話絵本のストーリー（ａ−３〜ａ−４）に合わせて、繊維類タオルをＢ−３のように広げていき、ｂ−３〜ｂ−７の絵柄を順次出しておく。
【００１０】図４、童話絵本のストーリー（ａ−６）の結末に合わせて、繊維類タオルをＢ４のように広げて、絵柄を出しストーリーが完結する。
【００１１】童話絵本（Ａ−２〜Ａ−４）のストーリーと挿絵（ａ−１〜ａ−６）に沿って、繊維素材のタオルに童話絵本と同じ絵柄（ｂ−１〜ｂ−７）が展開されており、あらかじめ繊維素材のタオルを「折る」（ｃ−１）、「丸める」（ｃ−２）ことで絵柄を隠しておき、童話絵本のストーリーに沿って、順次、繊維素材のタオルを開いて（Ｂ−２〜Ｂ−４）いくことにより、隠しておいた絵柄が現れてくる。
【符号の説明】
【００１２】１  Ａ−１〜Ａ−４  童話絵本の平面図
２  Ｂ−１〜Ｂ−２  織物類タオルの平面図および俯瞰図
３  ａ−１〜ａ−６  童話絵本の挿絵
４  ｂ−１〜ｂ−７  織物類タオルの絵柄
５  ｃ−１〜ｃ−２  織物類タオルの折り方の図
【図１】
2015131080.tif 000003
【図２】
2015131080.tif 000004
【図３】
2015131080.tif 000005
【図４】
2015131080.tif 000006
(57)【要約】      （修正有）【課題】個人でも簡単に持ち運ぶことができ貼り付けるだけで使用できる小型ＡＥＤを提供する。【解決手段】大きさにして約Ａ４ぐらいのシートに部品とパッドを一体化し、折りたたみができる構造により、個人が簡単に持ち運び出来る小形ＡＥＤ。１は下部にあり、パッドである。５も同様である。つまり１と５は心臓を挟むように設置されている。２，３，４，６，７は部品である。なお、６の部品は堅牢にできており、人工呼吸の際の、胸骨圧迫の部分である。点線の部分は折りたたむことができる。【選択図】図１
2015131076.tif 000002
【特許請求の範囲】
【請求項１】
従来のＡＥＤは、パッド「心臓に高電圧パルスを与えるための電極」と本体が、分離されているが本発明はパッドと本体が一体化されているを特徴とするＡＥＤの構造である。
【請求項２】
パーソナルで小形を図る為に折りたたみが可能な構造で、折りたたんだ時の寸法は、約１０センチ四方で厚さは約３センチ以下を特徴とする構造。
【請求項３】
通常は、折りたたんで請求項２のようにポケットに入る構造であるが、使用の際は広げて約Ａ４サイズになりそのまま貼り付ければ、使用できる事を特徴とする構造である。
【請求項４】
Ａ４サイズに広げた場合、人工呼吸の際の胸骨圧迫部分が自動的に表示されている構造であることを特徴とするＡＥＤ。
【発明の詳細な説明】
【技術分野】
【０００１】本発明はＡＥＤに関するものであり、工夫を加えて個人用として使用できるものである。
【背景技術】現在使用されているＡＥＤは、本体とパッドが分離されておりかつ大きさや重量も、とても個人用として、持ち運べる代物ではない。つまり個人用としては、中途半端な仕様で、おもに公共施設や学校等に設置されている。
【発明が解決しようとする課題】
【０００２】そこでこのような個人用としては、現在使用されているＡＥＤは不便である。なお個人用としては、大きさ、重量もふさわしくない。
【課題を解決するための手段】
【０００３】本発明は、上記の如き実情に鑑みこれらの課題を解決することを目的として考案されたもである。つまり個人用ＡＥＤとして軽くコンパクトで、簡単に持ち運ぶことができる構造である。そこで現在本体とパッドが分離されているＡＥＤと異なり、本体とパッドを一体化しかつ折りたたみ出来る構造にする事によりコンパクトが可能になる。
【発明を実施するための形態】
【０００４】次に、本発明の実施の形態の一つを図面に基づいて説明する。図面において１は下部にあり、パッドである。５も同様である。つまり１と５は心臓を挟むように設置されている。２，３，４，６，７は部品である。なお、６の部品は堅牢にできており、人工呼吸の際の、胸骨圧迫の部分である。点線の部分は折りたたむことができる。
【図面の簡単な説明】
【図１】パーソナル小形ＬＥＤの全体平面図である。
【符号の説明】１      パッド
２      部品
３      部品
４      部品
５      パッド
６      部品
７      部品
【図１】
2015131076.tif 000003
(57)【要約】      （修正有）【課題】従来、正方形や長方形の箱型の傘立てだと仕切りがないため、傘が乱雑になり、整理整頓が大変だったので、傘立の横棒のくぼみを活用し、使うときに横棒のくぼみに傘の取っ手を引っ掛け、自分の傘がどこにあるか、すぐにわかるように工夫した傘立てを提供する。【解決手段】傘掛け３の上部４の横棒にくぼみ１を設け、高い立て棒５と低い立て棒６を段違いに設け、高い立て棒５と低い立て棒６に折りたたみ傘９の紐かけ２を設け、上部傘掛け横棒３に大人用の傘１０の傘掛を設け、下部傘掛け横棒３に小人用の傘１１の傘掛けを設ける、受皿わく７に水滴受皿を設けたことを特徴とする傘立て。【選択図】図１
2015131082.tif 000002
【特許請求の範囲】
【請求項１】
傘掛け（３）の上部（４）の横棒にくぼみ（１）を設け、高い立て棒（５）と低い立て棒（６）を段違いに設け、高い立て棒（５）と低い立て棒（６）に折りたたみ傘（９）の紐かけ（２）を設け、上部傘掛け横棒（３）に大人用の傘（１０）の傘掛を設け、下部傘掛け横棒（３）に小人用の傘（１１）の傘掛けを設ける、受皿わく（７）に水滴受皿（８）を設けたことを特徴とする傘立て。
【発明の詳細な説明】
【技術分野】
【０００１】  本発明は、従来、正方形や長方形の箱型の傘立てだと仕切りがないため、傘が乱雑になり、整理整頓が大変だったので、傘立の横棒のくぼみを活用し、使うときに横棒のくぼみに傘の取っ手を引っ掛け、自分の傘がどこにあるか、すぐにわかるように工夫した傘立てに関するものである。
【従来技術】
【０００２】  従来の傘立ては、上部が開口の箱型で、たとえば、筆立てに鉛筆を立てるように、傘を立てるタイプのものが一般的であった。
【先行技術文献】
【特許文献】
【０００３】
【特許文献１】  特開２００１−１６５１２５号公報
【特許文献２】  特開平１０−１０８７７８号公報
【特許文献３】  特開平８−１４０８１５号公報
【発明の概要】
【発明が解決しようとする課題】
【０００４】（イ）傘が傘立ての中で倒れて、斜めになることが多かった。
（ロ）傘が多くなると、整然と収納できなくなっていた。
（ハ）傘を取り出すのが面倒であった。
本発明は、以上の問題点を解決するためになされたものである。
【課題を解決するための手段】
【０００５】  傘掛け（３）の上部（４）の横棒にくぼみ（１）を設け、高い立て棒（５）と低い立て棒（６）を段違いに設け、高い立て棒（５）と低い立て棒（６）に折りたたみ傘（９）の紐かけ（２）を設け、上部傘掛け横棒（３）に大人用の傘（１０）の傘掛を設け、下部傘掛け横棒（３）に小人用の傘（１１）の傘掛けを設ける、受皿わく（７）に水滴受皿（８）を設けたことを特徴とする傘立てである。
【発明の効果】
【０００６】  従来の傘立ての欠点を本発明により解消できる。
小人用の傘は、全体の傘の中にまぎれ込むことがなくなる。
男子用の黒い傘でも、間違うことがなくなる。
本発明は、自分の傘が見つけやすく簡単に取り出すことができる。
【図面の簡単な説明】
【０００７】
【図１】  本発明の斜視図である。
【図２】  本発明の本体から外した水滴受皿の斜視図である。
【発明を実施するための形態】
【０００８】（イ）傘掛け（３）の上部（４）の横棒にくぼみ（１）を設ける。
（ロ）高い立て棒（５）と低い立て棒（６）を段違いに設ける。
（ハ）高い立て棒（５）と低い立て棒（６）に折りたたみ傘（９）の紐掛け（２）を設け    る。
（ニ）上部傘掛け横棒（３）に大人用の傘（１０）の傘掛を設け、下部傘掛け横棒（３）    に小人用の傘（１１）の傘掛けを設ける。
（ホ）受皿わく（７）に水滴受皿（８）を設ける。
本発明以上のような構造である。
本発明を使用するときは、水滴受皿（８）を受け皿わく（７）にはめ込み、取り外しができる。
小人用と大人用の高さを変えて使用しやすいように工夫している。
傘は、上部傘掛け横棒（３）に大人用の傘（１０）の掛けて、下部傘掛け横棒（３）に小人用の傘（１１）の傘掛けて使用するので、いつも傘立てはスッキリしている。
【符号の説明】
【０００９】    １  くぼみ
２  紐掛け
３  傘掛け
４  上部
５  高い立て棒
６  低い立て棒
７  受皿わく
８  水滴受皿
９  折りたたみ傘
１０  大人用の傘
１１  小人用の傘
【図１】
2015131082.tif 000003
【図２】
2015131082.tif 000004
(57)【要約】【課題】  尿漏れした時に、尿がズボンに付かないようにした使い捨て尿漏れサックを提供する。【解決手段】  伸縮する腰ベルト（４）に固定されたフックの付いた伸縮するひも（３）にペニスを挿入した使い捨て尿漏れサック（１）の一端にあるフックの付いた伸縮するひもを引っかける穴（２）に引っかける。トイレの時もひもが伸縮するので、ペニスの出し入れが容易で簡単に用をたせるのを特徴とする。【選択図】図１
2015131083.tif 000002
【特許請求の範囲】
【請求項１】
伸縮する腰ベルト（４）に固定されているフックの付いた伸縮するひも（３）にペニスを挿入した使い捨て尿漏れサック（１）の一端にあるフックの付いた伸縮するひもを引っかける穴（２）に引っかけて使用する。トイレの時は、ひもが伸縮するので、簡単に用をたせる。
【発明の詳細な説明】
【技術分野】
【０００１】  この発明は、ペニスにサックを付けて尿漏れした時に、ズボンに尿が付かない様にした使い捨て尿漏れサックに関するものである。
【技術背景】
【０００２】  従来、尿漏れパンツ等、尿漏れした時に股に尿が付くものであった。
【先行技術文献】
【特許文献】
【０００３】
【発明の概要】
【発明が解決しようとする課題】
【０００４】  これは、次のような欠点があった。
従来、尿漏れパンツは、尿漏れした時に尿が股に付き、不快感を伴いそして、パンツを取り換えるにしても手間がかかり、予備のパンツを持ち歩くのも大変であった。又、パンツを使い捨てにするのには、経済的ロスが大きかった。もったいないので洗うにしても、抵抗感があった。
本発明は、以上のような欠点をなくすためになされたものである。
【課題を解決するための手段】
【０００５】  使い捨て尿漏れサック（１）の一端に穴（２）を設け、フックの付いた伸縮するひも（３）に引っかける。フックの付いた伸縮するひも（３）は、伸縮する腰ベルト（４）に固定されている。使用に際しては、あらかじめ伸縮する腰ベルト（４）を装着しているものとする。
本発明は、以上の構成よりなる使い捨て尿漏れサックである。
【発明の効果】
【０００６】  使い捨て尿漏れサックは、持ち運びが楽でトイレ等で簡単に取り換えられる。尿漏れした時に尿が付くのは、ペニスの先だけで簡単に拭く事が出来るので、清潔感を保ち簡単に処理が出来るので、不快感を伴わない。
【図面の簡単な説明】
【０００７】
【図１】  本発明の斜視図である。
【発明を実施するための形態】
【０００８】  以下、本発明を実施するための形態について説明する。
伸縮する腰ベルト（４）を装着する。フックの付いた伸縮するひも（３）に使い捨て尿  漏れサック（１）の一端にある穴（２）に引っかける。尿漏れした時には、使い捨て尿  漏れサック（１）をフックの付いた伸縮するひも（３）からはずして、予備の使い捨て  尿漏れサックと取り換える。使い捨て尿漏れサック（１）は、大、中、小等のサイズを  作る。
本発明は、以上のような構造である。
これを使用するときは、外出時に伸縮する腰ベルトを装着して、使い捨て尿漏れサックを付け、予備の使い捨て尿漏れサックを持ち歩けば、安心して外出を楽しむ事が出来る。
【符号の説明】
【０００９】１      使い捨て尿漏れサック
２      フックの付いた伸縮するひもを引っかける穴
３      フックの付いた伸縮するひも
４      伸縮する腰ベルト
【図１】
2015131083.tif 000003
(57)【要約】【課題】従来の、空き缶つぶし器はテコの原理を利用するもので、大きく場所をとり収納場所に苦慮していた。又、インテリアや小物入れなどとして使用できなかった。  本発明は、空き缶つぶし器を提供する。【解決手段】厚板状指示台の縁沿いの２箇所・向い合せの位置に、それぞれ支柱を直立させて設ける。それぞれの支柱に巻きつくような形でスプリングを設置する。そのスプリングを間に挟んで・指示台と平行に・支柱を貫通させた押さえ板を設ける。押さえ板の中央に直径数センチ程の穴を穿設する。  以上を特徴とする空き缶つぶし器である。【選択図】図１
2015131338.tif 000002
【特許請求の範囲】
【請求項１】
厚板状支持台の縁沿いの２箇所・向い合せの位置に、それぞれ支柱を直立させて設け、それぞれの支柱に巻きつくような形でスプリングを設置し、そのスプリングを間に挟んで・支持台と平行に・支柱を貫通させた押さえ板を設け、押さえ板の中央に直径数センチ程の穴を穿設することを特徴とする空き缶つぶし器。
【発明の詳細な説明】
【技術分野】
【０００１】  本発明は、腕力で上から押さえながら、握力で空き缶をつぶし、手や腕の運動を兼ね空き缶のつぶれ度を競いながら楽しく、遊び感覚で出来る空き缶つぶし器、不使用時は横に倒し、薬や小物を入れた容器、などを置く台として使用。また、空き缶に水を入れ、一輪挿しなどインテリアとして使用も出来る。
【背景技術】
【０００２】  従来は、テコの原理で缶を潰すタイプで、器具が大きく場所をとり邪魔であり収納にも不便であった。
【先行技術文献】
【特許文献】
【０００３】
【特許文献１】  実用新案公開平６−４８９９１
【発明の概要】
【発明が解決しようとする課題】
【０００４】  従来のつぶし器は、本体が大きく、収納場所をとり、邪魔であった。また、インテリアや小物入れなどとしても使用できなかった。
本発明は、以上の問題点を解決するためになされたものである。
【課題を解決するための手段】
【０００５】  厚板状支持台の縁沿いの２箇所・向かい合わせの位置に、それぞれ支柱を直立させて設ける。それぞれの支柱に巻きつくような形でスプリングを設置する。そのスプリングを間に挟んで・支持台と平行に・支柱を貫通させた押さえ板を設ける。押さえ板の中央に直径数センチ程の穴を穿設する。
以上を特徴とする空き缶つぶし器である。
【発明の効果】
【０００６】  本発明は、指示台と押さえ板の間に空き缶を置き、押さえ板の両端に両手を添え押さえながら、両手指先で空き缶の中央部分の両サイドを軽く押しながらいっきに押さえ潰す。つぶした後、押さえ板に両手の手のひらを当て両手指を指示台に掛け握り締め握力で再度潰し、ゲーム感覚でつぶれ度を競うこともできる。また、寝かせて容器を乗せ小物入れとしても使用でき、立てて空き缶を指示台の上に置き水を入れ、一輪挿しとしてテーブル上を飾ることもできる。
【図面の簡単な説明】
【０００７】
【図１】  本発明の使用状態を示す斜視図
【図２】  本発明の斜視図
【図３】  本発明の利用形態を示す斜視図
【図４】  本発明の別の利用形態を示す斜視図
【発明を実施するための形態】
【０００８】  以下、本発明の実施の形態を説明する。
厚板状支持台の縁沿いの２箇所・向い合せの位置に、それぞれ支柱を直立させて設ける。それぞれの支柱に巻きつくような形でスプリングを設置する。そのスプリングを間に挟んで・支持台と平行に・支柱を貫通させた押さえ板を設ける。押さえ板の中央に直径数センチ程の穴を穿設する。
本発明は以上のような構造である。
本発明を使用する時は、支持板１の上に空き缶６を置き、押さえ板３の両サイドを両手で押さえ圧縮しながら、同時に両手の指を空き缶の中間部を軽く指先でへこます気持ちで瞬時に押し、押さえ板３を押さえる力で押し潰す。
そのまま支持台１に両手指を掛け、握力でどの程度つぶせるか競いながら楽しく遊び感覚でつぶす。
横にねかせ、籠や箱など容器７を乗せ、小物入れとして（図３参照）、また、縦にして、空き缶６に、水を入れ一輪挿しとして（図４参照）、使用もできる。
【符号の説明】
【０００９】１  支持台
２  支柱
３  押さえ板
４  スプリング
５  生け花用孔
６  空き缶
７  小物入れ容器
【図１】
2015131338.tif 000003
【図２】
2015131338.tif 000004
【図３】
2015131338.tif 000005
【図４】
2015131338.tif 000006